(57)【特許請求の範囲】
【請求項１】
通信システムにより、ユーザ装置のための少なくとも２つの制御チャネルを構成するステップであり、前記制御チャネルのうち少なくとも１つはセル特有の制御チャネルであり、セルによりサービス提供される異なるユーザ装置は同じセル特有の制御チャネルに対応し、前記制御チャネルのうち少なくとも１つはユーザ装置特有の制御チャネルであり、セルによりサービス提供される異なるユーザ装置は同じ又は異なるユーザ装置特有の制御チャネルに対応するステップと、
前記通信システムにより、前記ユーザ装置における制御についての情報を送信するために、前記ユーザ装置特有の制御チャネルを使用するステップと
を有し、
前記通信システムにより、前記ユーザ装置における制御についての情報を送信するために、前記ユーザ装置特有の制御チャネルを使用するステップは、
前記通信システムにより、制御についての前記情報においてスクランブリングを実行するためにユーザ装置特有のスクランブリングコードを使用するステップと、
前記通信システムにより、制御についてのスクランブリングされた情報を送信するために前記ユーザ装置特有の制御チャネルを使用するステップと
を有し、
前記ユーザ装置特有のスクランブリングコードの生成パラメータは、ユーザ装置特有のアイデンティティを有し、
前記ユーザ装置特有の制御チャネルの構成パラメータは、前記ユーザ装置特有のアイデンティティを有し、
ユーザ装置特有の制御チャネルのスクランブリングコード系列の生成系列は、
【数３】
0006047237.tif 000004
であり、nsはシステムタイムスロット番号であり、NIDUE-specific-cellIDはユーザ装置特有のアイデンティティである制御チャネル送信方法。
【請求項２】
通信システムにより、ユーザ装置のための少なくとも２つの制御チャネルを構成するステップは、
前記通信システムにより、第１のセルにおいて前記ユーザ装置のための少なくとも１つの第１のユーザ装置特有の制御チャネル及び少なくとも１つの第１のセル特有の制御チャネルを構成するステップと、
前記通信システムにより、第２のセルにおいて前記ユーザ装置のための少なくとも１つの第２のユーザ装置特有の制御チャネル及び少なくとも１つの第２のセル特有の制御チャネルを構成するステップと
を有する、請求項１に記載の方法。
【請求項３】
前記第１のセルのセル特有のアイデンティティは、前記第２のセルのセル特有のアイデンティティと同じであり、前記第１のセル特有の制御チャネルは、前記第２のセル特有の制御チャネルと同じである、請求項２に記載の方法。
【請求項４】
前記第１のセルのセル特有のアイデンティティは、前記第２のセルのセル特有のアイデンティティとは異なり、前記第１のセル特有の制御チャネルは、前記第２のセル特有の制御チャネルとは異なる、請求項２に記載の方法。
【請求項５】
ユーザ装置により、通信システムにより割り当てられたユーザ装置特有の制御チャネルで、前記ユーザ装置における制御について前記通信システムにより送信された情報を検出するステップであり、前記通信システムは、前記ユーザ装置のための少なくとも２つの制御チャネルを構成し、前記制御チャネルのうち少なくとも１つはセル特有の制御チャネルであり、セルによりサービス提供される異なるユーザ装置は同じセル特有の制御チャネルに対応し、前記制御チャネルのうち少なくとも１つはユーザ装置特有の制御チャネルであり、セルによりサービス提供される異なるユーザ装置は同じ又は異なるユーザ装置特有の制御チャネルに対応するステップを有し、
ユーザ装置により、通信システムにより割り当てられたユーザ装置特有の制御チャネルで、前記ユーザ装置における制御について前記通信システムにより送信された情報を検出するステップは、
前記ユーザ装置により、制御についての前記情報においてデスクランブリングを実行するためにユーザ装置特有のスクランブリングコードを使用するステップを有し、
前記ユーザ装置特有のスクランブリングコードの生成パラメータは、ユーザ装置特有のアイデンティティを有し、
前記ユーザ装置特有の制御チャネルの構成パラメータは、前記ユーザ装置特有のアイデンティティを有し、
ユーザ装置特有の制御チャネルのスクランブリングコード系列の生成系列は、
【数４】
0006047237.tif 000005
であり、nsはシステムタイムスロット番号であり、NIDUE-specific-cellIDはユーザ装置特有のアイデンティティである制御チャネル送信方法。
【請求項６】
前記通信システムは、第１のセルにおいて前記ユーザ装置のための少なくとも１つの第１のユーザ装置特有の制御チャネル及び少なくとも１つの第１のセル特有の制御チャネルを構成し、
前記通信システムは、第２のセルにおいて前記ユーザ装置のための少なくとも１つの第２のユーザ装置特有の制御チャネル及び少なくとも１つの第２のセル特有の制御チャネルを構成する、請求項５に記載の方法。
【請求項７】
前記第１のセルのセル特有のアイデンティティは、前記第２のセルのセル特有のアイデンティティと同じであり、前記第１のセル特有の制御チャネルは、前記第２のセル特有の制御チャネルと同じである、請求項６に記載の方法。
【請求項８】
前記第１のセルのセル特有のアイデンティティは、前記第２のセルのセル特有のアイデンティティとは異なり、前記第１のセル特有の制御チャネルは、前記第２のセル特有の制御チャネルとは異なる、請求項６に記載の方法。
【請求項９】
通信ネットワーク側装置を有する通信システムであって、
前記通信ネットワーク側装置は、
ユーザ装置のための少なくとも２つの制御チャネルを構成するように構成された構成モジュールであり、前記制御チャネルのうち少なくとも１つはセル特有の制御チャネルであり、セルによりサービス提供される異なるユーザ装置は同じセル特有の制御チャネルに対応し、前記制御チャネルのうち少なくとも１つはユーザ装置特有の制御チャネルであり、セルによりサービス提供される異なるユーザ装置は同じ又は異なるユーザ装置特有の制御チャネルに対応する構成モジュールと、
前記ユーザ装置における制御についての情報を送信するために、前記ユーザ装置特有の制御チャネルを使用するように構成された送信モジュールと
を有し、
前記通信ネットワーク側装置は、制御についての前記情報においてスクランブリングを実行するためにユーザ装置特有のスクランブリングコードを使用するように構成された第２のスクランブリングモジュールを更に有し、
前記送信モジュールは、制御についてのスクランブリングされた情報を送信するために前記ユーザ装置特有の制御チャネルを使用するように特に構成され、
前記第２のスクランブリングモジュールにおいて、前記ユーザ装置特有のスクランブリングコードの生成パラメータは、ユーザ装置特有のアイデンティティを有し、
前記構成モジュールは、前記ユーザ装置特有の制御チャネルの構成パラメータに前記ユーザ装置特有のアイデンティティを含めるように特に構成され、
ユーザ装置特有の制御チャネルのスクランブリングコード系列の生成系列は、
【数５】
0006047237.tif 000006
であり、nsはシステムタイムスロット番号であり、NIDUE-specific-cellIDはユーザ装置特有のアイデンティティである通信システム。
【請求項１０】
前記構成モジュールは、第１のセルにおいて前記ユーザ装置のための少なくとも１つの第１のユーザ装置特有の制御チャネル及び少なくとも１つの第１のセル特有の制御チャネルを構成し、
第２のセルにおいて前記ユーザ装置のための少なくとも１つの第２のユーザ装置特有の制御チャネル及び少なくとも１つの第２のセル特有の制御チャネルを構成するように特に構成される、請求項９に記載の通信システム。
【請求項１１】
前記構成モジュールにおいて、前記第１のセルのセル特有のアイデンティティは、前記第２のセルのセル特有のアイデンティティと同じであり、前記第１のセル特有の制御チャネルは、前記第２のセル特有の制御チャネルと同じである、請求項１０に記載の通信システム。
【請求項１２】
前記構成モジュールにおいて、前記第１のセルのセル特有のアイデンティティは、前記第２のセルのセル特有のアイデンティティとは異なり、前記第１のセル特有の制御チャネルは、前記第２のセル特有の制御チャネルとは異なる、請求項１０に記載の通信システム。
【請求項１３】
通信システムにより割り当てられたユーザ装置特有の制御チャネルで、ユーザ装置における前記通信システムの制御についての情報を検出するように構成された検出モジュールであり、前記通信システムは、前記ユーザ装置のための少なくとも２つの制御チャネルを構成し、前記制御チャネルのうち少なくとも１つはセル特有の制御チャネルであり、セルによりサービス提供される異なるユーザ装置は同じセル特有の制御チャネルに対応し、前記制御チャネルのうち少なくとも１つはユーザ装置特有の制御チャネルであり、セルによりサービス提供される異なるユーザ装置は同じ又は異なるユーザ装置特有の制御チャネルに対応する検出モジュールを有し、
制御についての前記情報においてデスクランブリングを実行するためにユーザ装置特有のスクランブリングコードを使用するように構成された第２のデスクランブリングモジュールを更に有し、
前記第２のデスクランブリングモジュールにおいて、前記ユーザ装置特有のスクランブリングコードの生成パラメータは、ユーザ装置特有のアイデンティティを有し、
前記ユーザ装置特有の制御チャネルの構成パラメータは、前記ユーザ装置特有のアイデンティティを有し、
ユーザ装置特有の制御チャネルのスクランブリングコード系列の生成系列は、
【数６】
0006047237.tif 000007
であり、nsはシステムタイムスロット番号であり、NIDUE-specific-cellIDはユーザ装置特有のアイデンティティであるユーザ装置。
【請求項１４】
前記通信システムは、第１のセルにおいて前記ユーザ装置のための少なくとも１つの第１のユーザ装置特有の制御チャネル及び少なくとも１つの第１のセル特有の制御チャネルを構成し、
前記通信システムは、第２のセルにおいて前記ユーザ装置のための少なくとも１つの第２のユーザ装置特有の制御チャネル及び少なくとも１つの第２のセル特有の制御チャネルを構成する、請求項１３に記載のユーザ装置。
【請求項１５】
前記第１のセルのセル特有のアイデンティティは、前記第２のセルのセル特有のアイデンティティと同じであり、前記第１のセル特有の制御チャネルは、前記第２のセル特有の制御チャネルと同じである、請求項１４に記載のユーザ装置。
【請求項１６】
前記第１のセルのセル特有のアイデンティティは、前記第２のセルのセル特有のアイデンティティとは異なり、前記第１のセル特有の制御チャネルは、前記第２のセル特有の制御チャネルとは異なる、請求項１４に記載のユーザ装置。
【発明の詳細な説明】
【技術分野】
【０００１】
この出願は、2012年9月26日に“CONTROL  CHANNEL  TRANSMISSION  METHOD  AND  EQUIPMENT”という題で中国専利局に出願された中国特許出願第CN201210364878.4号の優先権を主張し、この全内容を援用する。
【０００２】
本発明は、通信技術の分野に関し、特に制御チャネル送信方法及び装置に関する。
【背景技術】
【０００３】
3GPP（3rd  Generation  Partnership  Project、略して3G）のLTE（Long  Term  Evolution）システムでは、ユーザ装置（User  Equipment、略してUE）は、複数のセルによりサービス提供され得る。第１のサービングセル及び第２のサービングセルが一例として使用される。UEが第１のサービングセルによりサービス提供されるときに構成（コンフィギュレーション）された拡張物理下りリンク制御チャネル（Enhanced  Physical  Downlink  Control  Channel、略してePDCCH）は、UEが第２のサービングセルによりサービス提供されるときに構成されたePDCCHとは異なる。
【０００４】
従来技術によれば、UEが第１のサービングセルから第２のサービングセルにハンドオーバするときに、第１のサービングセルは、無線リソース制御（Radio  Resource  Control、略してRRC）再構成（リコンフィグレーション）シグナリングをUEに送信し、UEに対してePDCCHを再構成するように命令する。ePDCCHを再構成した後に、UEは、RRC再構成完了シグナリングを第１のサービングセルに返信する。
【発明の概要】
【発明が解決しようとする課題】
【０００５】
この実施例を実現する過程において、発明者は、基地局がRRC再構成シグナリングを送信した時点から基地局がUEにより返信されたRRC再構成完了シグナリングを受信する時点までの期間内に、基地局の制御シグナリングがUEにより検出されないという理由でデータ通信中断が生じる可能性があることを見出した。
【０００６】
本発明の実施例は、UEのセルハンドオーバ中の通信中断問題を解決するための制御チャネル送信方法及び装置を提供する。
【課題を解決するための手段】
【０００７】
第１の態様によれば、本発明の実施例は、制御チャネル送信方法を提供し、通信システムにより、ユーザ装置のための少なくとも２つの制御チャネルを構成し、ただし、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応し、通信システムにより、ユーザ装置における制御についての情報を送信するために、セル特有の制御チャネル及び／又はユーザ装置特有の制御チャネルを使用することを含む。
【０００８】
第１の態様を参照して、通信システムにより、ユーザ装置における制御についての情報を送信するために、セル特有の制御チャネルを使用することは、通信システムにより、制御についての情報においてスクランブリングを実行するためにセル特有のスクランブリングコードを使用し、通信システムにより、制御についてのスクランブリングされた情報を送信するためにセル特有の制御チャネル又はユーザ装置特有の制御チャネルを使用することを含む。
【０００９】
セル特有のスクランブリングコードの生成パラメータは、セル特有のアイデンティティ（identity）を含む。
【００１０】
通信システムにより、ユーザ装置における制御についての情報を送信するために、ユーザ装置特有の制御チャネルを使用することは、通信システムにより、制御についての情報においてスクランブリングを実行するためにユーザ装置特有のスクランブリングコードを使用し、通信システムにより、制御についてのスクランブリングされた情報を送信するためにユーザ装置特有の制御チャネル又はセル特有の制御チャネルを使用することを含む。
【００１１】
ユーザ装置特有のスクランブリングコードの生成パラメータは、ユーザ装置特有のアイデンティティを含む。
【００１２】
セル特有の制御チャネルの構成パラメータは、セル特有のアイデンティティを含む。
【００１３】
ユーザ装置特有の制御チャネルの構成パラメータは、ユーザ装置特有のアイデンティティを含む。
【００１４】
通信システムにより、ユーザ装置のための少なくとも２つの制御チャネルを構成することは、通信システムにより、第１のセルにおいてユーザ装置のための少なくとも１つの第１のユーザ装置特有の制御チャネル及び少なくとも１つの第１のセル特有の制御チャネルを構成し、通信システムにより、第２のセルにおいてユーザ装置のための少なくとも１つの第２のユーザ装置特有の制御チャネル及び少なくとも１つの第２のセル特有の制御チャネルを構成することを含む。
【００１５】
第１のセルのセル特有のアイデンティティは、第２のセルのセル特有のアイデンティティと同じであり、第１のセル特有の制御チャネルは、第２のセル特有の制御チャネルと同じである。
【００１６】
通信システムにより、ユーザ装置のための少なくとも２つの制御チャネルを構成した後に、この方法は、通信システムにより、第１の無線リソース制御（RRC）再構成命令をユーザ装置に送信し、ただし、第１のRRC再構成命令は、ユーザ装置に対して第１のユーザ装置特有の制御チャネルを第２のユーザ装置特有の制御チャネルとして再構成するように命令するために使用されることを更に含み、通信システムにより、ユーザ装置における制御についての情報を送信するために、セル特有の制御チャネル及び／又はユーザ装置特有の制御チャネルを使用することは、通信システムにより、制御についての情報を送信するために、第１のセル特有の制御チャネルを使用することを含む。
【００１７】
第１のセルのセル特有のアイデンティティは、第２のセルのセル特有のアイデンティティとは異なり、第１のセル特有の制御チャネルは、第２のセルのセル特有の制御チャネルとは異なる。
【００１８】
通信システムにより、ユーザ装置のための少なくとも２つの制御チャネルを構成した後に、この方法は、通信システムにより、第２の無線リソース制御（RRC）再構成命令をユーザ装置に送信し、ただし、第２のRRC再構成命令は、ユーザ装置に対して第１のセル特有の制御チャネルを第２のセル特有の制御チャネルとして再構成するように命令するために使用されることを更に含み、通信システムにより、ユーザ装置における制御についての情報を送信するために、セル特有の制御チャネル及び／又はユーザ装置特有の制御チャネルを使用することは、通信システムにより、制御についての情報を送信するために、第１のユーザ装置特有の制御チャネルを使用することを含む。
【００１９】
第２の態様によれば、本発明の実施例は、制御チャネル送信方法を提供し、ユーザ装置により、通信システムにより割り当てられたセル特有の制御チャネル及び／又はユーザ装置特有の制御チャネルで、ユーザ装置における通信システムの制御についての情報を検出することを含み、ただし、通信システムは、ユーザ装置のための少なくとも２つの制御チャネルを構成し、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応する。
【００２０】
第２の態様を参照して、ユーザ装置により、通信システムにより割り当てられたセル特有の制御チャネルで、ユーザ装置における通信システムの制御についての情報を検出することは、ユーザ装置により、制御についての情報においてデスクランブリングを実行するためにセル特有のスクランブリングコードを使用することを含む。
【００２１】
セル特有のスクランブリングコードの生成パラメータは、セル特有のアイデンティティを含む。
【００２２】
ユーザ装置により、通信システムにより割り当てられたユーザ装置特有の制御チャネルで、ユーザ装置における通信システムの制御についての情報を検出することは、ユーザ装置により、制御についての情報においてデスクランブリングを実行するためにユーザ装置特有のスクランブリングコードを使用することを含む。
【００２３】
ユーザ装置特有のスクランブリングコードの生成パラメータは、ユーザ装置特有のアイデンティティを含む。
【００２４】
セル特有の制御チャネルの構成パラメータは、セル特有のアイデンティティを含む。
【００２５】
ユーザ装置特有の制御チャネルの構成パラメータは、ユーザ装置特有のアイデンティティを含む。
【００２６】
通信システムは、第１のセルにおいてユーザ装置のための少なくとも１つの第１のユーザ装置特有の制御チャネル及び少なくとも１つの第１のセル特有の制御チャネルを構成し、通信システムは、第２のセルにおいてユーザ装置のための少なくとも１つの第２のユーザ装置特有の制御チャネル及び少なくとも１つの第２のセル特有の制御チャネルを構成する。
【００２７】
第１のセルのセル特有のアイデンティティは、第２のセルのセル特有のアイデンティティと同じであり、第１のセル特有の制御チャネルは、第２のセル特有の制御チャネルと同じである。
【００２８】
ユーザ装置により、通信システムにより割り当てられたセル特有の制御チャネル及び／又はユーザ装置特有の制御チャネルで、ユーザ装置における通信システムの制御についての情報を検出することは、ユーザ装置により、通信システムにより送信された第１の無線リソース制御（RRC）再構成命令を受信し、ただし、第１のRRC再構成命令は、ユーザ装置に対して第１のユーザ装置特有の制御チャネルを第２のユーザ装置特有の制御チャネルとして再構成するように命令するために使用されることを更に含み、ユーザ装置により、通信システムにより割り当てられたセル特有の制御チャネル及び／又はユーザ装置特有の制御チャネルで、ユーザ装置における通信システムの制御についての情報を検出することは、ユーザ装置により、第１のセル特有の制御チャネルで通信システムにより送信された制御についての情報を検出することを含む。
【００２９】
第１のセルのセル特有のアイデンティティは、第２のセルのセル特有のアイデンティティと同じであり、第１のセル特有の制御チャネルは、第２のセル特有の制御チャネルと同じである。
【００３０】
ユーザ装置により、通信システムにより割り当てられたセル特有の制御チャネル又はユーザ装置特有の制御チャネルで、ユーザ装置における通信システムの制御についての情報を検出することは、ユーザ装置により、通信システムにより送信された第２の無線リソース制御（RRC）再構成命令を受信することを更に含み、ただし、第２のRRC再構成命令は、ユーザ装置に対して第１のセル特有の制御チャネルを第２のセル特有の制御チャネルとして再構成するように命令するために使用され、ユーザ装置により、通信システムにより割り当てられたセル特有の制御チャネル及び／又はユーザ装置特有の制御チャネルで、ユーザ装置における通信システムの制御についての情報を検出することは、ユーザ装置により、第１のユーザ装置特有の制御チャネルで通信システムにより送信された制御についての情報を検出することを含む。
【００３１】
第３の態様によれば、本発明は、通信ネットワーク側装置を含む通信システムを提供し、通信ネットワーク側装置は、ユーザ装置のための少なくとも２つの制御チャネルを構成するように構成された構成モジュールであり、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応する構成モジュールと、ユーザ装置における制御についての情報を送信するために、セル特有の制御チャネル及び／又はユーザ装置特有の制御チャネルを使用するように構成された送信モジュールとを含む。
【００３２】
第３の態様を参照して、通信ネットワーク側装置は、制御についての情報においてスクランブリングを実行するためにセル特有のスクランブリングコードを使用するように構成された第１のスクランブリングモジュールを更に含む。
【００３３】
送信モジュールは、制御についてのスクランブリングされた情報を送信するためにセル特有の制御チャネル又はユーザ装置特有の制御チャネルを使用するように特に構成される。
【００３４】
第１のスクランブリングモジュールにおいて、セル特有のスクランブリングコードの生成パラメータは、セル特有のアイデンティティを含む。
通信ネットワーク側装置は、制御についての情報においてスクランブリングを実行するためにユーザ装置特有のスクランブリングコードを使用するように構成された第２のスクランブリングモジュールを更に含む。
【００３５】
送信モジュールは、制御についてのスクランブリングされた情報を送信するためにユーザ装置特有の制御チャネル又はセル特有の制御チャネルを使用するように特に構成される。
【００３６】
第２のスクランブリングモジュールにおいて、ユーザ装置特有のスクランブリングコードの生成パラメータは、ユーザ装置特有のアイデンティティを含む。
【００３７】
構成モジュールは、セル特有の制御チャネルの構成パラメータにセル特有のアイデンティティを含めるように特に構成される。
【００３８】
構成モジュールは、ユーザ装置特有の制御チャネルの構成パラメータにユーザ装置特有のアイデンティティを含めるように特に構成される。
【００３９】
構成モジュールは、第１のセルにおいてユーザ装置のための少なくとも１つの第１のユーザ装置特有の制御チャネル及び少なくとも１つの第１のセル特有の制御チャネルを構成し、第２のセルにおいてユーザ装置のための少なくとも１つの第２のユーザ装置特有の制御チャネル及び少なくとも１つの第２のセル特有の制御チャネルを構成するように特に構成される。
【００４０】
構成モジュールにおいて、第１のセルのセル特有のアイデンティティは、第２のセルのセル特有のアイデンティティと同じであり、第１のセル特有の制御チャネルは、第２のセル特有の制御チャネルと同じである。
【００４１】
送信モジュールは、第１の無線リソース制御（RRC）再構成命令をユーザ装置に送信し、ただし、第１のRRC再構成命令は、ユーザ装置に対して第１のユーザ装置特有の制御チャネルを第２のユーザ装置特有の制御チャネルとして再構成するように命令するために使用され、制御についての情報を送信するために、第１のセル特有の制御チャネルを使用するように更に構成される。
【００４２】
構成モジュールにおいて、第１のセルのセル特有のアイデンティティは、第２のセルのセル特有のアイデンティティとは異なり、第１のセル特有の制御チャネルは、第２のセルのセル特有の制御チャネルとは異なる。
【００４３】
送信モジュールは、第２の無線リソース制御（RRC）再構成命令をユーザ装置に送信し、ただし、第２のRRC再構成命令は、ユーザ装置に対して第１のセル特有の制御チャネルを第２のセル特有の制御チャネルとして再構成するように命令するために使用され、制御についての情報を送信するために、第１のユーザ装置特有の制御チャネルを使用するように更に構成される。
【００４４】
第４の態様によれば、本発明は、ユーザ装置を提供し、通信システムにより割り当てられたセル特有の制御チャネル及び／又はユーザ装置特有の制御チャネルで、ユーザ装置における通信システムの制御についての情報を検出するように構成された検出モジュールであり、通信システムは、ユーザ装置のための少なくとも２つの制御チャネルを構成し、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応する検出モジュールを含む。
【００４５】
第４の態様を参照して、ユーザ装置は、制御についての情報においてデスクランブリングを実行するためにセル特有のスクランブリングコードを使用するように構成された第１のデスクランブリングモジュールを更に含む。
【００４６】
第１のデスクランブリングモジュールにおいて、セル特有のスクランブリングコードの生成パラメータは、セル特有のアイデンティティを含む。ユーザ装置は、制御についての情報においてデスクランブリングを実行するためにユーザ装置特有のスクランブリングコードを使用するように構成された第２のデスクランブリングモジュールを更に含む。
【００４７】
第２のデスクランブリングモジュールにおいて、ユーザ装置特有のスクランブリングコードの生成パラメータは、ユーザ装置特有のアイデンティティを含む。
【００４８】
セル特有の制御チャネルの構成パラメータは、セル特有のアイデンティティを含む。
【００４９】
ユーザ装置特有の制御チャネルの構成パラメータは、ユーザ装置特有のアイデンティティを含む。
【００５０】
通信システムは、第１のセルにおいてユーザ装置のための少なくとも１つの第１のユーザ装置特有の制御チャネル及び少なくとも１つの第１のセル特有の制御チャネルを構成し、通信システムは、第２のセルにおいてユーザ装置のための少なくとも１つの第２のユーザ装置特有の制御チャネル及び少なくとも１つの第２のセル特有の制御チャネルを構成する。
【００５１】
第１のセルのセル特有のアイデンティティは、第２のセルのセル特有のアイデンティティと同じであり、第１のセル特有の制御チャネルは、第２のセル特有の制御チャネルと同じである。
【００５２】
第４の態様を参照して、ユーザ装置は、通信システムにより送信された第１の無線リソース制御（RRC）再構成命令を受信するように構成された受信モジュールであり、第１のRRC再構成命令は、ユーザ装置に対して第１のユーザ装置特有の制御チャネルを第２のユーザ装置特有の制御チャネルとして再構成するように命令するために使用される受信モジュールを更に含む。
【００５３】
検出モジュールは、第１のセル特有の制御チャネルで通信システムにより送信された制御についての情報を検出するように特に構成される。
【００５４】
第１のセルのセル特有のアイデンティティは、第２のセルのセル特有のアイデンティティとは異なり、第１のセル特有の制御チャネルは、第２のセル特有の制御チャネルとは異なる。
【００５５】
受信モジュールは、通信システムにより送信された第２の無線リソース制御（RRC）再構成命令を受信し、ただし、第２のRRC再構成命令は、ユーザ装置に対して第１のセル特有の制御チャネルを第２のセル特有の制御チャネルとして再構成するように命令するために使用されるように更に構成される。
【００５６】
検出モジュールは、第１のユーザ装置特有の制御チャネルで通信システムにより送信された制御についての情報を検出するように特に構成される。
【００５７】
第５の態様によれば、本発明は、基地局を提供し、ユーザ装置のための少なくとも２つの制御チャネルを構成するように構成されたプロセッサであり、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応するプロセッサと、ユーザ装置における制御についての情報を送信するために、セル特有の制御チャネル及び／又はユーザ装置特有の制御チャネルを使用するように構成された送信機とを含む。
【００５８】
プロセッサは、第１のセルにおいてユーザ装置のための少なくとも１つの第１のユーザ装置特有の制御チャネル及び少なくとも１つの第１のセル特有の制御チャネルを構成し、第２のセルにおいてユーザ装置のための少なくとも１つの第２のユーザ装置特有の制御チャネル及び少なくとも１つの第２のセル特有の制御チャネルを構成するように特に構成される。
【００５９】
プロセッサにおいて、第１のセルのセル特有のアイデンティティは、第２のセルのセル特有のアイデンティティと同じであり、第１のセル特有の制御チャネルは、第２のセル特有の制御チャネルと同じである。
【００６０】
送信機は、第１の無線リソース制御（RRC）再構成命令をユーザ装置に送信し、ただし、第１のRRC再構成命令は、ユーザ装置に対して第１のユーザ装置特有の制御チャネルを第２のユーザ装置特有の制御チャネルとして再構成するように命令するために使用され、制御についての情報を送信するために、第１のセル特有の制御チャネルを使用するように更に構成される。
【００６１】
プロセッサにおいて、第１のセルのセル特有のアイデンティティは、第２のセルのセル特有のアイデンティティとは異なり、第１のセル特有の制御チャネルは、第２のセルのセル特有の制御チャネルとは異なる。
【００６２】
送信機は、第２の無線リソース制御（RRC）再構成命令をユーザ装置に送信し、ただし、第２のRRC再構成命令は、ユーザ装置に対して第１のセル特有の制御チャネルを第２のセル特有の制御チャネルとして再構成するように命令するために使用され、制御についての情報を送信するために、第１のユーザ装置特有の制御チャネルを使用するように更に構成される。
【００６３】
第６の態様によれば、本発明は、ユーザ装置を提供し、通信システムにより割り当てられたセル特有の制御チャネル及び／又はユーザ装置特有の制御チャネルで、ユーザ装置における通信システムの制御についての情報を検出するように構成された検出器であり、通信システムは、ユーザ装置のための少なくとも２つの制御チャネルを構成し、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応する検出器を含む。
【００６４】
第６の態様を参照して、ユーザ装置は、制御についての情報においてデスクランブリングを実行するためにセル特有のスクランブリングコードを使用するように構成されたプロセッサを更に含む。
【００６５】
プロセッサにおいて、セル特有のスクランブリングコードの生成パラメータは、セル特有のアイデンティティを含む。
【００６６】
プロセッサは、制御についての情報においてデスクランブリングを実行するためにユーザ装置特有のスクランブリングコードを使用するように更に構成される。
【００６７】
プロセッサにおいて、ユーザ装置特有のスクランブリングコードの生成パラメータは、ユーザ装置特有のアイデンティティを含む。
【００６８】
セル特有の制御チャネルの構成パラメータは、セル特有のアイデンティティを含む。
【００６９】
ユーザ装置特有の制御チャネルの構成パラメータは、ユーザ装置特有のアイデンティティを含む。
【００７０】
通信システムは、第１のセルにおいてユーザ装置のための少なくとも１つの第１のユーザ装置特有の制御チャネル及び少なくとも１つの第１のセル特有の制御チャネルを構成し、通信システムは、第２のセルにおいてユーザ装置のための少なくとも１つの第２のユーザ装置特有の制御チャネル及び少なくとも１つの第２のセル特有の制御チャネルを構成する。
【００７１】
第１のセルのセル特有のアイデンティティは、第２のセルのセル特有のアイデンティティと同じであり、第１のセル特有の制御チャネルは、第２のセル特有の制御チャネルと同じである。
【００７２】
第６の態様を参照して、ユーザ装置は、通信システムにより送信された第１の無線リソース制御（RRC）再構成命令を受信するように構成された受信機であり、第１のRRC再構成命令は、ユーザ装置に対して第１のユーザ装置特有の制御チャネルを第２のユーザ装置特有の制御チャネルとして再構成するように命令するために使用される受信機を更に含む。
【００７３】
検出器は、第１のセル特有の制御チャネルで通信システムにより送信された制御についての情報を検出するように特に構成される。
【００７４】
第１のセルのセル特有のアイデンティティは、第２のセルのセル特有のアイデンティティとは異なり、第１のセル特有の制御チャネルは、第２のセル特有の制御チャネルとは異なる。
【００７５】
受信機は、通信システムにより送信された第２の無線リソース制御（RRC）再構成命令を受信し、ただし、第２のRRC再構成命令は、ユーザ装置に対して第１のセル特有の制御チャネルを第２のセル特有の制御チャネルとして再構成するように命令するために使用されるように更に構成される。
【００７６】
検出器は、第１のユーザ装置特有の制御チャネルで通信システムにより送信された制御についての情報を検出するように特に構成される。
【００７７】
本発明の実施例で提供される制御チャネル送信方法及び装置では、通信システムは、UEのための少なくとも２つの制御チャネルを構成する。通信システムは、制御チャネルを再構成する処理において、UEにおける制御についての情報を送信するために他の制御チャネルを使用し、通信がUEのセルハンドオーバ中に中断されないことを確保してもよい。
【図面の簡単な説明】
【００７８】
【図１】本発明による制御チャネル送信方法の概略フローチャート
【図２】本発明による他の制御チャネル送信方法の概略フローチャート
【図３】本発明による他の制御チャネル送信方法の第１の実施例の概略フローチャート
【図４】本発明による他の制御チャネル送信方法の第２の実施例の概略フローチャート
【図５】本発明による他の制御チャネル送信方法の第１の実施例の概略フローチャート
【図６】本発明による他の制御チャネル送信方法の第１の実施例の概略フローチャート
【図７】本発明による通信システムの第１の実施例の概略構成図
【図８】本発明による通信システムの第２の実施例の概略構成図
【図９】本発明によるユーザ装置の第１の実施例の概略構成図
【図１０】本発明によるユーザ装置の第２の実施例の概略構成図
【図１１】本発明による基地局の第１の実施例の概略構成図
【図１２】本発明による他のユーザ装置の第１の実施例の概略構成図
【図１３】本発明による他のユーザ装置の第２の実施例の概略構成図
【発明を実施するための形態】
【００７９】
本発明の実施例の技術的対策を説明するために、実施例又は従来技術を説明するために必要な添付図面について以下に簡単に紹介する。明らかに、以下の説明において、添付図面は単なる本発明のいくつかの実施例を示しているに過ぎず、当業者は、創造的取り組みを行うことなく、これらの添付図面から他の図面を導くことができる。
【００８０】
本発明の実施例の目的、技術的対策及び利点を明瞭にするために、以下では、本発明の実施例の添付図面を参照して本発明の実施例の技術的対策を明瞭に説明する。明らかに、説明する実施例は本発明の全てではなく、一部に過ぎない。創造的取り組みを行うことなく本発明の実施例に基づいて当業者により得られる全ての他の実施例は、本発明の保護範囲内に入るものとする。
【００８１】
図１は、本発明による制御チャネル送信方法の概略フローチャートである。図１に示すように、この方法は以下を含む。
【００８２】
S101.通信システムがユーザ装置のための少なくとも２つの制御チャネルを構成する。ただし、制御チャネルのうち少なくとも１つはセル特有の制御チャネルであり、セル特有の制御チャネルは、セルによりサービス提供されるユーザ装置（UE）の間で共有される。すなわち、セルによりサービス提供される異なるユーザ装置は同じセル特有の制御チャネルに対応する。制御チャネルのうち少なくとも１つはユーザ装置特有の制御チャネルであり、セルによりサービス提供される異なるユーザ装置は同じ又は異なるユーザ装置特有の制御チャネルに対応する。特定の構成（コンフィギュレーション）処理において、基地局（eNodeB）は、関係する構成情報をUEに送信するために制御チャネルを使用してもよく、UEは、構成情報を受信した後に、構成を完了する。
【００８３】
本発明のこの実施例に関する通信システムは、様々な種類の通信ネットワークにおける基地局のような様々な種類のネットワーク側装置でもよいが、これに限定されない。
【００８４】
特定の実現処理において、一態様では、通信システムは、ユーザ装置のために少なくとも１つのセル特有の制御チャネルを含む少なくとも２つの制御チャネルを構成してもよい。すなわち、同じセルによりサービス提供される異なるユーザ装置は、セルのセル特有の制御チャネルを共有してもよい。例えば、通信システムは、第１のセルにおいて、セルによりサービス提供される全てのユーザ装置のための第１のセル特有の制御チャネルを構成してもよく、第２のセルにおいて、セルによりサービス提供される全てのユーザ装置のための第２のセル特有の制御チャネルを構成してもよい。
【００８５】
他の態様では、通信システムは、各セルの異なるユーザの各ユーザのために同じ又は異なるユーザ装置特有の制御チャネルを更に構成してもよい。例えば、通信システムは、第１のセルのユーザ1のために第１のユーザ装置特有の制御チャネルを構成してもよく、第１のセルのユーザ2のために第２のユーザ装置特有の制御チャネルを構成してもよい。ただし、第１のユーザ装置特有の制御チャネルは、第２のユーザ装置特有の制御チャネルと同じである又は異なる。
【００８６】
本発明のこの実施例に関するセル特有の制御チャネル及びUE特有の制御チャネルは、ePDCCHでもよく、またPDCCHでもよく、更にePDCCHとPDCCHとの組み合わせでもよい点に留意すべきである。セル特有の制御チャネルは、セルIDのようなセル特有のアイデンティティ（identity）情報に従って得られてもよく、ユーザ装置特有の制御チャネルは、ユーザIDのようなユーザ特有のアイデンティティ情報に従って得られてもよい。それにも拘わらず、このことに限定されない。
【００８７】
S102.通信システムがユーザ装置における制御についての情報を送信するために、セル特有の制御チャネル及び／又はユーザ装置特有の制御チャネルを使用する。
【００８８】
通信システムは、ユーザ装置への通常のサービスデータ送信を実行するために、セル特有の制御チャネル又はユーザ装置特有の制御チャネルを使用してもよく、UEへの制御についての様々な種類の情報を送信するために他方を使用してもよい。ただし、制御についての情報は、例えば、セルハンドオーバ処理におけるUEにおける制御についての情報でもよく、UEがセルのセル特有の制御チャネルを他のセルのセル特有の制御チャネルとして再構成する処理の制御についての情報でもよい。
【００８９】
１つの実現シナリオでは、例えば、UEが第１のセルから第２のセルにハンドオーバする処理において、UEのセル特有の制御チャネルが再構成される必要がある場合、第１のセルのセル特有の制御チャネルは、第２のセルのセル特有の制御チャネルとして再構成される必要がある。この実現シナリオでは、通信システムは、UEのためのユーザ装置特有の制御チャネルを更に構成するため、セル特有の制御チャネルが再構成される必要がある場合、通信システムは、UEに対して構成されたユーザ装置特有の制御チャネルで制御についての情報をUEに送信してもよい。これにより、UEは、ユーザ装置特有の制御チャネルで通信システムにより送信された制御についての情報を検出するためにブラインド検出方法を使用し、通信が中断されないことを確保してもよい。
【００９０】
他の実現シナリオでは、例えば、UEが第１のセルから第２のセルにハンドオーバする処理において、UEのユーザ装置特有の制御チャネルが再構成される必要がある場合、第１のセルのユーザ装置特有の制御チャネルは、第２のセルのユーザ装置特有の制御チャネルとして再構成される必要がある。この実現シナリオでは、通信システムは、UEのためのセル特有の制御チャネルを更に構成するため、ユーザ装置特有の制御チャネルが再構成される必要がある場合、通信システムは、UEに対して構成されたセル特有の制御チャネルで制御についての情報をUEに送信してもよい。これにより、UEは、セル特有の制御チャネルで通信システムにより送信された制御についての情報を検出するためにブラインド検出方法を使用し、通信が中断されないことを確保してもよい。
【００９１】
通信システムがUEにおける制御についての情報を送信するためにセル特有の制御チャネルを使用するシナリオでは、通信システムは、制御についての情報においてスクランブリングを実行するためにセル特有のスクランブリングコードを使用し、制御についてのスクランブリングされた情報を送信するためにセル特有の制御チャネル又はUE特有の制御チャネルを使用してもよい。任意選択で、セル特有のスクランブリングコードの生成パラメータは、セル特有のアイデンティティを含んでもよく、セル特有の制御チャネルの構成パラメータは、セル特有のアイデンティティを含んでもよい。このことは、セル特有の制御チャネル及び／又はセル特有のスクランブリングコードがセル特有のアイデンティティにより制御されることを意味する。
【００９２】
例えば、セル特有の制御チャネルのスクランブリングコード系列の生成系列は、
【数１】
0006047237.tif 000002
である。ただし、nsはシステムタイムスロット番号であり、NIDCellはセルアイデンティティ番号、すなわち、セル特有のアイデンティティである。
【００９３】
通信システムがUEにおける制御についての情報を送信するためにユーザ装置特有の制御チャネルを使用するシナリオでは、通信システムは、制御についての情報においてスクランブリングを実行するためにUE特有のスクランブリングコードを使用し、制御についてのスクランブリングされた情報を送信するためにセル特有の制御チャネル又はUE特有の制御チャネルを使用してもよい。任意選択で、UE特有のスクランブリングコードの生成パラメータは、ユーザ装置特有のアイデンティティを含んでもよく、UE特有の制御チャネルの構成パラメータは、ユーザ装置特有のアイデンティティを含んでもよい。このことは、UE特有の制御チャネル及び／又はUE特有のスクランブリングコードがUE特有のアイデンティティにより制御されることを意味する。UE特有の制御チャネルは毎回UE特有のアイデンティティに従って構成されるとは限らず、UE特有のスクランブリングコードはUE特有のアイデンティティにより制御される点に留意すべきである。すなわち、各UEの制御についての情報においてスクランブリング及びデスクランブリングを実行するためのユーザ装置特有のスクランブリングコードは、セルによりサービス提供されるユーザの間で共有されず、UE毎に別々に構成される。
【００９４】
例えば、UE特有の制御チャネルのスクランブリングコード系列の生成系列は、
【数２】
0006047237.tif 000003
である。ただし、nsはシステムタイムスロット番号であり、NIDUE-specific-cellIDはUE特有のアイデンティティ番号、すなわち、UE特有のアイデンティティである。
【００９５】
この実施例では、通信システムは、UEのための少なくとも２つの制御チャネルを構成する。通信システムは、制御チャネルを再構成する処理において、UEにおける制御についての情報を送信するために他の制御チャネルを使用し、通信がUEのセルハンドオーバ中に中断されないことを確保してもよい。
【００９６】
図２は、本発明による他の制御チャネル送信方法の概略フローチャートである。図２に示すように、この方法は以下を含む。
【００９７】
S201.ユーザ装置が通信システムにより割り当てられたセル特有の制御チャネル及び／又はユーザ装置特有の制御チャネルで、ユーザ装置における通信システムの制御についての情報を検出する。UEにおける制御についての更なる情報は、UE特有の制御チャネルで送信される点に留意すべきである。従って、ブラインド検出回数を割り当てるときに、UEは、UE特有の制御チャネルに、より多くのブラインド検出回数を割り当ててもよい。一般的に、セル特有の制御チャネルは遷移（transition）のために使用される。例えば、この実施例では、セル特有の制御チャネルは、主に、UE特有の制御チャネルが再構成されるときにUEにおける制御についての情報を送信するために使用され、場合によっては、ページングメッセージ、システム情報ブロック（SIB：system  information  block）等を送信するために使用される。
【００９８】
通信システムは、UEのための少なくとも２つの制御チャネルを構成する。制御チャネルのうち少なくとも１つはセル特有の制御チャネルである。セル特有の制御チャネル、すなわち、制御チャネルは、セルによりサービス提供されるUEの間で共有される。同じセル特有の制御チャネルが、セルによりサービス提供される異なるユーザ装置について構成される。制御チャネルのうち少なくとも１つはUE特有の制御チャネルである。UE特有の制御チャネル、すなわち、ユーザ装置特有の制御チャネルが、セルによりサービス提供される異なるユーザ装置について構成される。本発明のこの実施例に関するセル特有のチャネル及びUE特有のチャネルは、ePDCCHでもよく、またPDCCHでもよく、更にePDCCHとPDCCHとの組み合わせでもよい点に留意すべきである。セル特有の制御チャネルは、セルIDのようなセル特有のアイデンティティ（identity）情報に従って得られてもよく、ユーザ装置特有の制御チャネルは、ユーザIDのようなユーザ特有のアイデンティティ情報に従って得られてもよい。それにも拘わらず、このことに限定されない。
【００９９】
特定の実現処理において、UEがセル特有の制御チャネルでユーザ装置の制御についての情報を検出するシナリオでは、UEは、制御についての情報においてデスクランブリングを実行するためにセル特有のスクランブリングコードを使用する。任意選択で、セル特有のスクランブリングコードの生成パラメータは、セル特有のアイデンティティを含んでもよく、セル特有の制御チャネルの構成パラメータは、セル特有のアイデンティティを含んでもよい。
【０１００】
UEがユーザ装置特有の制御チャネルでユーザ装置の制御についての情報を検出するシナリオでは、UEは、制御についての情報においてデスクランブリングを実行するためにユーザ装置特有のスクランブリングコードを使用する。任意選択で、UE特有のスクランブリングコードの生成パラメータは、ユーザ装置特有のアイデンティティを含んでもよく、UE特有の制御チャネルの構成パラメータは、ユーザ装置特有のアイデンティティを含んでもよい。
【０１０１】
この実施例では、少なくとも２つの制御チャネルがUEについて構成され、通信システムは、制御チャネルを再構成する処理において、UEにおける制御についての情報を送信するために他の制御チャネルを使用してもよい。これにより、UEは、いずれかの制御チャネルでユーザ装置により送信された制御についての情報を検出するためにブラインド検出方法を使用し、UEのセルハンドオーバ中に通信が中断されないことを確保してもよい。
【０１０２】
図３は、本発明による他の制御チャネル送信方法の第１の実施例の概略フローチャートである。図３に示すように、この実施例は、通信システムが制御についての情報をUEに送信する特定の実現シナリオにおいて、ユーザ装置特有の制御チャネルがUEのセルハンドオーバ中に再構成される必要がある場合、通信システムがUEにおける制御についての情報を送信するためにセル特有の制御チャネルを使用し得る方法を提供する。この方法は以下を含む。
【０１０３】
S301.通信システムが第１のセルにおいてユーザ装置のための少なくとも１つの第１のユーザ装置特有の制御チャネル及び少なくとも１つの第１のセル特有の制御チャネルを構成する。
【０１０４】
S302.通信システムが第２のセルにおいてユーザ装置のための少なくとも１つの第２のユーザ装置特有の制御チャネル及び少なくとも１つの第２のセル特有の制御チャネルを構成する。
【０１０５】
第１のセルのセル特有のアイデンティティは、第２のセルのセル特有のアイデンティティと同じでもよく、一方、第１のセル特有の制御チャネルは、第２のセル特有の制御チャネルと同じである。すなわち、第１のセル及び第２のセルは、セル特有の制御チャネルを共有する。
【０１０６】
S303.通信システムが第１の無線リソース制御（RRC）再構成命令をユーザ装置に送信する。ただし、第１のRRC再構成命令は、ユーザ装置に対して第１のユーザ装置特有の制御チャネルを第２のユーザ装置特有の制御チャネルとして再構成するように命令するために使用される。
【０１０７】
S304.通信システムが制御についての情報を送信するために、第１のセル特有の制御チャネルを使用する。
【０１０８】
S305.ユーザ装置が第１のセル特有の制御チャネルで通信システムにより送信された制御についての情報を検出する。
【０１０９】
S306.ユーザ装置がRRC再構成完了応答を返信する。
【０１１０】
ユーザ装置により返信されたRRC再構成完了応答を受信した後に、通信システムは、第２のユーザ装置特有の制御チャネルで制御についての情報を送信してもよい。
【０１１１】
図４は、本発明による他の制御チャネル送信方法の第２の実施例の概略フローチャートである。図４に示すように、本発明の実施例は、通信システムが制御についての情報をUEに送信する他の特定の実現シナリオにおいて、セル特有の制御チャネルがUEのセルハンドオーバ中に再構成される必要がある場合、通信システムがUEにおける制御についての情報を送信するためにユーザ装置特有の制御チャネルを使用し得る方法を提供する。この方法は以下を含む。
【０１１２】
S401.通信システムが第１のセルにおいてユーザ装置のための少なくとも１つの第１のユーザ装置特有の制御チャネル及び少なくとも１つの第１のセル特有の制御チャネルを構成する。
【０１１３】
S402.通信システムが第２のセルにおいてユーザ装置のための少なくとも１つの第２のユーザ装置特有の制御チャネル及び少なくとも１つの第２のセル特有の制御チャネルを構成する。
【０１１４】
第１のセル特有のアイデンティティは、第２のセルのセル特有のアイデンティティとは異なり、一方、第１のセル特有の制御チャネルは、第２のセル特有の制御チャネルとは異なる。
【０１１５】
S403.通信システムが第２の無線リソース制御（RRC）再構成命令をユーザ装置に送信する。ただし、第２のRRC再構成命令は、ユーザ装置に対して第１のセル特有の制御チャネルを第２のセル特有の制御チャネルとして再構成するように命令するために使用される。
【０１１６】
S404.通信システムが制御についての情報を送信するために、第１のユーザ装置特有の制御チャネルを使用する。
【０１１７】
S405.ユーザ装置が第１のユーザ装置特有の制御チャネルで通信システムにより送信された制御についての情報を検出する。
【０１１８】
S406.ユーザ装置がRRC再構成完了応答を返信する。
【０１１９】
ユーザ装置により返信されたRRC再構成完了応答を受信した後に、通信システムは、第２のセル特有の制御チャネルで制御についての情報を送信してもよく、第１のユーザ装置特有の制御チャネルの再構成を実行してもよい。
【０１２０】
この実施例では、少なくとも２つの制御チャネルがUEについて構成されるため、通信システムは、制御チャネルを再構成する処理において、UEにおける制御についての情報を送信するために他の制御チャネルを使用してもよい。これにより、UEは、いずれかの制御チャネルでユーザ装置により送信された制御についての情報を検出するためにブラインド検出方法を使用し、UEのセルハンドオーバ中に通信が中断されないことを確保してもよい。
【０１２１】
図５は、本発明による他の制御チャネル送信方法の第１の実施例の概略フローチャートである。図５に示すように、この実施例は、UEが第１のセルと第２のセルとの間でハンドオーバするときに、通信システムが第１のセル及び第２のセルにより使用される制御チャネルでUEにおける制御についての情報を同時に送信する方法を提供する。この方法は以下を含む。
【０１２２】
S501.第１のセルが無線リソース制御（RRC）再構成命令をユーザ装置（UE）に送信する。ただし、RRC命令は、UEに対して第１のセルとの通信に使用される第１の拡張物理下りリンク制御チャネル（ePDCCH）を、第２のセルとの通信に使用される第２のePDCCHとして再構成するように命令するために使用される。
【０１２３】
S502.第１のセルが第１のePDCCHでUEにおける制御についての情報を送信し、命令情報を第２のセルに送信する。ただし、命令情報は、第２のセルに対して第２のePDCCHで制御についての情報を送信するように命令するために使用される。すなわち、制御についての情報は、第１のePDCCH及び第２のePDCCHで同時に送信され、UEが制御チャネルを再構成する処理において制御についての情報を検出するためにブラインド検出を実行し得ることを確保してもよい。
【０１２４】
S503.第１のセルがUEにより送信されたRRC再構成完了命令を受信する。ただし、再構成完了命令は、UEが第１のセルとの通信に使用される第１のePDCCHを、第２のセルとの通信に使用されるePDCCHとして再構成したことを完了したことを示すために使用される。
【０１２５】
S504.第１のセルが第１のePDCCHで制御についての情報を送信することを停止する。すなわち、第２のセルのみが、第２のePDCCHで制御についての情報を送信する。
【０１２６】
この実施例では、第１のセル及び第２のセルは、UEにおける制御についての情報を同時に送信するために、第１のセルにより使用される制御チャネル及び第２のセルにより使用される制御チャネルを別々に使用し、UEが第１のセルと第２のセルとの間のハンドオーバの処理において制御についての情報を検出し得ることを確保する。このことは、通信が中断されないことを確保する。
【０１２７】
図６は、本発明において提供される他の制御チャネル送信方法の第１の実施例の概略フローチャートである。図６に示すように、この方法は以下を含む。
【０１２８】
S601.UEが第１のセルにより送信された無線リソース制御（RRC）再構成命令を受信する。ただし、RRC命令は、UEに対して第１のセルとの通信に使用される第１の拡張物理下りリンク制御チャネル（ePDCCH）を、第２のセルとの通信に使用される第２のePDCCHとして再構成するように命令するために使用される。
【０１２９】
第１のセルから第２のセルにハンドオーバするときに、UEは、制御チャネルを再構成する必要がある。この場合、第１のセルは、UEにおける制御についての情報を送信するために第１のePDCCHを使用し、一方、第２のセルに対して制御についての情報をUEに送信するために第２のePDCCHを送信するように命令する。
【０１３０】
S602.UEが第１のePDCCHで第１のセルにより送信されたUEにおける制御についての情報を検出してもよく、また、第２のePDCCHで第２のセルにより送信された制御についての情報を検出してもよい。
【０１３１】
S603.UEが第１のセルとの通信に使用される第１のePDCCHを、第２のセルとの通信に使用される第２のePDCCHとして再構成する。
【０１３２】
S604.UEがRRC再構成完了命令を第１のセルに送信する。ただし、再構成完了命令は、UEが第１のセルとの通信に使用される第１のePDCCHを、第２のセルとの通信に使用されるePDCCHとして再構成したことを完了したことを示すために使用される。
【０１３３】
S605.UEが第２のePDCCHで第２のセルにより送信された制御についての情報を検出する。
【０１３４】
この実施例では、第１のセル及び第２のセルは、UEにおける制御についての情報を同時に送信するために、第１のセルにより使用される制御チャネル及び第２のセルにより使用される制御チャネルを別々に使用し、第１のePDCCHであっても第２のePDCCHであっても、UEが第１のセルと第２のセルとの間のハンドオーバの処理において制御についての情報を検出し得ることを確保する。このことは、通信が中断されないことを確保する。
【０１３５】
図７は、本発明による通信システムの第１の実施例の概略構成図である。図７に示すように、通信システムは、通信ネットワーク側装置を含む。特に図７に示すように、通信ネットワーク側装置は、構成モジュール701と、送信モジュール702とを含む。
【０１３６】
構成モジュール701は、ユーザ装置のための少なくとも２つの制御チャネルを構成するように構成される。ただし、制御チャネルのうち少なくとも１つはセル特有の制御チャネルであり、セル特有の制御チャネルは、セルによりサービス提供されるユーザ装置UEの間で共有され、セルによりサービス提供される異なるユーザ装置は同じセル特有の制御チャネルに対応する。制御チャネルのうち少なくとも１つはユーザ装置特有の制御チャネルであり、セルによりサービス提供される異なるユーザ装置は同じ又は異なるユーザ装置特有の制御チャネルに対応する。
【０１３７】
送信モジュール702は、ユーザ装置における制御についての情報を送信するために、セル特有の制御チャネル及び／又はユーザ装置特有の制御チャネルを使用するように構成される。
【０１３８】
モジュールの動作については、前述の方法の実施例を参照されたい。繰り返しの説明はここでは提供されない。
【０１３９】
図８は、本発明による通信システムの第２の実施例の概略構成図である。図８に示すように、図７に基づいて、通信ネットワーク側装置は、第１のスクランブリングモジュール703と、第２のスクランブリングモジュール704とを更に含む。
【０１４０】
第１のスクランブリングモジュール703は、制御についての情報においてスクランブリングを実行するためにセル特有のスクランブリングコードを使用するように構成される。
【０１４１】
ここで、送信モジュール702は、制御についてのスクランブリングされた情報を送信するためにセル特有の制御チャネル又はユーザ装置特有の制御チャネルを使用するように特に構成される。
【０１４２】
第１のスクランブリングモジュール703において、セル特有のスクランブリングコードの生成パラメータは、セル特有のアイデンティティを含んでもよい点に留意すべきである。
【０１４３】
第２のスクランブリングモジュール704は、制御についての情報においてスクランブリングを実行するためにユーザ装置特有のスクランブリングコードを使用するように構成される。
【０１４４】
ここで、送信モジュール702は、制御についてのスクランブリングされた情報を送信するためにユーザ装置特有の制御チャネル又はセル特有の制御チャネルを使用するように特に構成される。
【０１４５】
第２のスクランブリングモジュール704において、ユーザ装置特有のスクランブリングコードの生成パラメータは、ユーザ装置特有のアイデンティティを含む点に留意すべきである。
【０１４６】
更に、構成モジュール701は、セル特有の制御チャネルの構成パラメータにセル特有のアイデンティティを含めるように特に構成され、ユーザ装置特有の制御チャネルの構成パラメータにユーザ装置特有のアイデンティティを含めるように特に構成される。
【０１４７】
特定の実現処理において、構成モジュール701は、第１のセルにおいてユーザ装置のための少なくとも１つの第１のユーザ装置特有の制御チャネル及び少なくとも１つの第１のセル特有の制御チャネルを構成し、第２のセルにおいてユーザ装置のための少なくとも１つの第２のユーザ装置特有の制御チャネル及び少なくとも１つの第２のセル特有の制御チャネルを構成するように特に構成される。
【０１４８】
より具体的には、２つの状況が存在する。第１の状況では、構成モジュール701において、第１のセルのセル特有のアイデンティティは、第２のセルのセル特有のアイデンティティと同じであり、第１のセル特有の制御チャネルは、第２のセル特有の制御チャネルと同じである。従って、送信モジュール702は、第１の無線リソース制御（RRC）再構成命令をユーザ装置に送信する。ただし、第１のRRC再構成命令は、ユーザ装置に対して第１のユーザ装置特有の制御チャネルを第２のユーザ装置特有の制御チャネルとして再構成するように命令するために使用される。送信モジュール702は、制御についての情報を送信するために、第１のセル特有の制御チャネルを使用する。
【０１４９】
第２の状況では、構成モジュール701において、第１のセルのセル特有のアイデンティティは、第２のセルのセル特有のアイデンティティとは異なり、第１のセル特有の制御チャネルは、第２のセルのセル特有の制御チャネルとは異なる。従って、送信モジュール702は、第２の無線リソース制御（RRC）再構成命令をユーザ装置に送信する。ただし、第２のRRC再構成命令は、ユーザ装置に対して第１のセル特有の制御チャネルを第２のセル特有の制御チャネルとして再構成するように命令するために使用される。送信モジュール702は、制御についての情報を送信するために、第１のユーザ装置特有の制御チャネルを使用する。
【０１５０】
モジュールの動作については、前述の方法の実施例を参照されたい。繰り返しの説明はここでは提供されない。
【０１５１】
この実施例では、通信ネットワーク側装置の構成モジュールは、UEのための少なくとも２つの制御チャネルを構成する。通信ネットワーク側装置の送信モジュールは、制御チャネルを再構成する処理において、UEにおける制御についての情報を送信するために他の制御チャネルを使用し、通信がUEのセルハンドオーバ中に中断されないことを確保してもよい。
【０１５２】
図９は、本発明によるユーザ装置の第１の実施例の概略構成図である。図９に示すように、ユーザ装置は、検出モジュール901を含み、検出モジュール901に基づき、第１のデスクランブリングモジュール902と、第２のデスクランブリングモジュール903とを更に含む。
【０１５３】
検出モジュール901は、通信システムにより割り当てられたセル特有の制御チャネル及び／又はユーザ装置特有の制御チャネルで、ユーザ装置における通信システムの制御についての情報を検出するように構成される。ただし、通信システムは、ユーザ装置のための少なくとも２つの制御チャネルを構成する。制御チャネルのうち少なくとも１つはセル特有の制御チャネルであり、セル特有の制御チャネルは、セルによりサービス提供されるユーザ装置の間で共有され、セルによりサービス提供される異なるユーザ装置は同じセル特有の制御チャネルに対応する。制御チャネルのうち少なくとも１つはユーザ装置特有の制御チャネルであり、セルによりサービス提供される異なるユーザ装置は同じ又は異なるユーザ装置特有の制御チャネルに対応する。第１のデスクランブリングモジュール902は、制御についての情報においてデスクランブリングを実行するためにセル特有のスクランブリングコードを使用するように構成される。第１のデスクランブリングモジュール902において、セル特有のスクランブリングコードの生成パラメータは、セル特有のアイデンティティを含む。
【０１５４】
第２のデスクランブリングモジュール903は、制御についての情報においてデスクランブリングを実行するためにユーザ装置特有のスクランブリングコードを使用するように構成される。第２のデスクランブリングモジュール903において、ユーザ装置特有のスクランブリングコードの生成パラメータは、ユーザ装置特有のアイデンティティを含む。
【０１５５】
更に、セル特有の制御チャネルの構成パラメータは、セル特有のアイデンティティを含み、ユーザ装置特有の制御チャネルの構成パラメータは、ユーザ装置特有のアイデンティティを含む。
【０１５６】
特定の実現処理において、図７及び図８に示す通信システムは、第１のセルにおいてユーザ装置のための少なくとも１つの第１のユーザ装置特有の制御チャネル及び少なくとも１つの第１のセル特有の制御チャネルを構成し、第２のセルにおいてユーザ装置のための少なくとも１つの第２のユーザ装置特有の制御チャネル及び少なくとも１つの第２のセル特有の制御チャネルを構成する。
【０１５７】
モジュールの動作については、前述の方法の実施例を参照されたい。繰り返しの説明はここでは提供されない。
【０１５８】
図１０は、本発明によるユーザ装置の第２の実施例の概略構成図である。図１０に示すように、図９に基づいて、ユーザ装置は、受信モジュール904を更に含む。
【０１５９】
より具体的には、２つの状況が存在する。第１の状況では、第１のセルのセル特有のアイデンティティは、第２のセルのセル特有のアイデンティティと同じであり、第１のセル特有の制御チャネルは、第２のセル特有の制御チャネルと同じである。この場合、受信モジュール904は、通信システムにより送信された第１の無線リソース制御（RRC）再構成命令を受信するように構成される。ただし、第１のRRC再構成命令は、ユーザ装置に対して第１のユーザ装置特有の制御チャネルを第２のユーザ装置特有の制御チャネルとして再構成するように命令するために使用される。検出モジュール901は、第１のセル特有の制御チャネルで通信システムにより送信された制御についての情報を検出するように特に構成される。
【０１６０】
第２の状況では、第１のセルのセル特有のアイデンティティは、第２のセルのセル特有のアイデンティティとは異なり、第１のセル特有の制御チャネルは、第２のセル特有の制御チャネルとは異なる。この場合、受信モジュール904は、通信システムにより送信された第２の無線リソース制御（RRC）再構成命令を受信するように構成される。ただし、第２のRRC再構成命令は、ユーザ装置に対して第１のセル特有の制御チャネルを第２のセル特有の制御チャネルとして再構成するように命令するために使用される。検出モジュール901は、第１のユーザ装置特有の制御チャネルで通信システムにより送信された制御についての情報を検出するように特に構成される。
【０１６１】
モジュールの動作については、前述の方法の実施例を参照されたい。繰り返しの説明はここでは提供されない。
【０１６２】
この実施例では、通信システムは、UEのための少なくとも２つの制御チャネルを構成する。通信システムは、制御チャネルを再構成する処理において、UEにおける制御についての情報を送信するために他の制御チャネルを使用し、UEの検出モジュールが制御についての情報を検出するためにブラインド検出を使用し得ることを確保してもよい。このことは、UEのセルハンドオーバ中に通信が中断されないことを確保する。
【０１６３】
図１１は、本発明による基地局の第１の実施例の概略構成図である。図１１に示すように、基地局は、プロセッサ1101と、送信機1102とを含む。
【０１６４】
プロセッサ1101は、ユーザ装置のための少なくとも２つの制御チャネルを構成するように構成される。ただし、制御チャネルのうち少なくとも１つはセル特有の制御チャネルであり、セルによりサービス提供される異なるユーザ装置は同じセル特有の制御チャネルに対応し、制御チャネルのうち少なくとも１つはユーザ装置特有の制御チャネルであり、セルによりサービス提供される異なるユーザ装置は同じ又は異なるユーザ装置特有の制御チャネルに対応する。
【０１６５】
送信機1102は、ユーザ装置における制御についての情報を送信するために、セル特有の制御チャネル及び／又はユーザ装置特有の制御チャネルを使用するように構成される。
【０１６６】
特定の実現処理において、プロセッサ1101は、制御についての情報においてスクランブリングを実行するためにセル特有のスクランブリングコードを使用するように更に構成される。セル特有のスクランブリングコードの生成パラメータは、セル特有のアイデンティティを含む点に留意すべきである。
【０１６７】
送信機1102は、制御についてのスクランブリングされた情報を送信するためにセル特有の制御チャネル又はユーザ装置特有の制御チャネルを使用するように特に構成される。
【０１６８】
プロセッサ1101は、制御についての情報においてスクランブリングを実行するためにユーザ装置特有のスクランブリングコードを使用するように構成される。ユーザ装置特有のスクランブリングコードの生成パラメータは、ユーザ装置特有のアイデンティティを含む。
【０１６９】
送信機1102は、制御についてのスクランブリングされた情報を送信するためにユーザ装置特有の制御チャネル又はセル特有の制御チャネルを使用するように特に構成される。
【０１７０】
更に、プロセッサ1101は、セル特有の制御チャネルの構成パラメータにセル特有のアイデンティティを含め、ユーザ装置特有の制御チャネルの構成パラメータにユーザ装置特有のアイデンティティを含めるように特に構成される。
【０１７１】
実現処理において、プロセッサ1101は、第１のセルにおいてユーザ装置のための少なくとも１つの第１のユーザ装置特有の制御チャネル及び少なくとも１つの第１のセル特有の制御チャネルを構成し、第２のセルにおいてユーザ装置のための少なくとも１つの第２のユーザ装置特有の制御チャネル及び少なくとも１つの第２のセル特有の制御チャネルを構成するように特に構成される。
【０１７２】
より具体的には、２つの状況が存在する。第１の状況では、プロセッサ1101において、第１のセルのセル特有のアイデンティティは、第２のセルのセル特有のアイデンティティと同じであり、第１のセル特有の制御チャネルは、第２のセル特有の制御チャネルと同じである。この状況では、送信機1102は、第１の無線リソース制御（RRC）再構成命令をユーザ装置に送信するように更に構成される。ただし、第１のRRC再構成命令は、ユーザ装置に対して第１のユーザ装置特有の制御チャネルを第２のユーザ装置特有の制御チャネルとして再構成するように命令するために使用される。送信機1102は、制御についての情報を送信するために、第１のセル特有の制御チャネルを使用するように更に構成される。
【０１７３】
第２の状況では、プロセッサ1101において、第１のセルのセル特有のアイデンティティは、第２のセルのセル特有のアイデンティティとは異なり、第１のセル特有の制御チャネルは、第２のセルのセル特有の制御チャネルとは異なる。この状況では、送信機1102は、第２の無線リソース制御（RRC）再構成命令をユーザ装置に送信するように更に構成される。ただし、第２のRRC再構成命令は、ユーザ装置に対して第１のセル特有の制御チャネルを第２のセル特有の制御チャネルとして再構成するように命令するために使用される。送信機1102は、制御についての情報を送信するために、第１のユーザ装置特有の制御チャネルを使用するように更に構成される。
【０１７４】
プロセッサ及び送信機の動作については、前述の方法の実施例を参照されたい。繰り返しの説明はここでは提供されない。
【０１７５】
この実施例では、基地局のプロセッサは、UEのための少なくとも２つの制御チャネルを構成する。基地局の送信機は、制御チャネルを再構成する処理において、UEにおける制御についての情報を送信するために他の制御チャネルを使用し、通信がUEのセルハンドオーバ中に中断されないことを確保してもよい。
【０１７６】
図１２は、本発明による他のユーザ装置の第１の実施例の概略構成図である。図１２に示すように、ユーザ装置は、検出器1201を含み、検出器1201に基づいてプロセッサ1202を更に含む。
【０１７７】
検出器1201は、通信システムにより割り当てられたセル特有の制御チャネル及び／又はユーザ装置特有の制御チャネルで、ユーザ装置における通信システムの制御についての情報を検出するように構成される。ただし、通信システムは、ユーザ装置のための少なくとも２つの制御チャネルを構成する。制御チャネルのうち少なくとも１つはセル特有の制御チャネルであり、セルによりサービス提供される異なるユーザ装置は同じセル特有の制御チャネルに対応する。制御チャネルのうち少なくとも１つはユーザ装置特有の制御チャネルであり、セルによりサービス提供される異なるユーザ装置は同じ又は異なるユーザ装置特有の制御チャネルに対応する。
【０１７８】
セル特有の制御チャネルの構成パラメータは、セル特有のアイデンティティを含み、ユーザ装置特有の制御チャネルの構成パラメータは、ユーザ装置特有のアイデンティティを含む。
【０１７９】
プロセッサ1202は、制御についての情報においてデスクランブリングを実行するためにセル特有のスクランブリングコードを使用するように構成される。セル特有のスクランブリングコードの生成パラメータは、セル特有のアイデンティティを含む。
【０１８０】
プロセッサ1202は、制御についての情報においてデスクランブリングを実行するためにユーザ装置特有のスクランブリングコードを使用するように構成される。ユーザ装置特有のスクランブリングコードの生成パラメータは、ユーザ装置特有のアイデンティティを含む。
【０１８１】
通信システムは、第１のセルにおいてユーザ装置のための少なくとも１つの第１のユーザ装置特有の制御チャネル及び少なくとも１つの第１のセル特有の制御チャネルを構成する点に留意すべきである。
【０１８２】
通信システムは、第２のセルにおいてユーザ装置のための少なくとも１つの第２のユーザ装置特有の制御チャネル及び少なくとも１つの第２のセル特有の制御チャネルを構成する。
【０１８３】
検出器及びプロセッサの動作については、前述の方法の実施例を参照されたい。繰り返しの説明はここでは提供されない。
【０１８４】
図１３は、本発明による他のユーザ装置の第２の実施例の概略構成図である。図１３に示すように、図１２に基づいて、ユーザ装置は、受信機1203を更に含む。
【０１８５】
特に、２つの状況が存在する。第１の状況では、第１のセルのセル特有のアイデンティティは、第２のセルのセル特有のアイデンティティと同じであり、第１のセル特有の制御チャネルは、第２のセル特有の制御チャネルと同じである。この状況では、受信機1203は、通信システムにより送信された第１の無線リソース制御（RRC）再構成命令を受信するように構成される。ただし、第１のRRC再構成命令は、ユーザ装置に対して第１のユーザ装置特有の制御チャネルを第２のユーザ装置特有の制御チャネルとして再構成するように命令するために使用される。検出器1201は、第１のセル特有の制御チャネルで通信システムにより送信された制御についての情報を検出するように特に構成される。
【０１８６】
第２の状況では、第１のセルのセル特有のアイデンティティは、第２のセルのセル特有のアイデンティティとは異なり、第１のセル特有の制御チャネルは、第２のセル特有の制御チャネルとは異なる。この状況では、受信機1203は、通信システムにより送信された第２の無線リソース制御（RRC）再構成命令を受信するように構成される。ただし、第２のRRC再構成命令は、ユーザ装置に対して第１のセル特有の制御チャネルを第２のセル特有の制御チャネルとして再構成するように命令するために使用される。検出器1201は、第１のユーザ装置特有の制御チャネルで通信システムにより送信された制御についての情報を検出するように特に構成される。
【０１８７】
受信機の動作については、前述の方法の実施例を参照されたい。繰り返しの説明はここでは提供されない。
【０１８８】
この実施例では、通信システムは、UEのための少なくとも２つの制御チャネルを構成する。通信システムは、制御チャネルを再構成する処理において、UEにおける制御についての情報を送信するために他の制御チャネルを使用し、UEの検出器が制御についての情報を検出するためにブラインド検出を使用し得ることを確保してもよい。このことは、UEのセルハンドオーバ中に通信が中断されないことを確保する。
【０１８９】
当業者は、方法の実施例のステップの全部又は一部が、関係するハードウェアに命令するプログラムにより実現されてもよいことを認識し得る。プログラムは、コンピュータ読み取り可能記憶媒体に格納されてもよい。プログラムが実行する場合、方法の実施例のステップが実行される。前述の記憶媒体は、ROM、RAM、磁気ディスク又は光ディスクのように、プログラムコードを格納することができるいずれかの媒体を含む。
【０１９０】
最後に、前述の実施例は、本発明を限定するものではなく、単に本発明の技術的対策を説明することを意図するものである点に留意すべきである。前述の実施例を参照して本発明について詳細に説明したが、当業者は、本発明の実施例の技術的対策の範囲を逸脱することなく、前述の実施例に記載された技術的対策に対して依然として変更を行ってもよく、一部又は全部の技術的特徴に対して等価置換を行ってもよいことが分かる。
【図１】
0006047237.tif 000008
【図２】
0006047237.tif 000009
【図３】
0006047237.tif 000010
【図４】
0006047237.tif 000011
【図５】
0006047237.tif 000012
【図６】
0006047237.tif 000013
【図７】
0006047237.tif 000014
【図８】
0006047237.tif 000015
【図９】
0006047237.tif 000016
【図１０】
0006047237.tif 000017
【図１１】
0006047237.tif 000018
【図１２】
0006047237.tif 000019
【図１３】
0006047237.tif 000020